(57)【要約】多部品液体移動容器（１０）が男性失禁防止用装置において使用される。容器（１０）は着用者の陰茎を受領する第１開口端部（１６）と排出ポート（２２）を提供する第２端部（１７）とを有する外形部（１４）を含んでいる。第２端部（１７）は第１端部（１６）から陰茎の頭部を十分覆う距離分延びており、尿は陰茎から前方へ、排出ポート（２２）を通って容器（１０）から外側方向へ移動される。取り外し可能な液体制御インサート（１５）が第１開口端部（１６）内に受領され、これは外形部（１４）の内表面から離れて提供される長形舌部（３５）を含んでいる。舌部（３５）は陰茎と外形部（１４）との間に逆流防止バリヤを形成し、排出ポート（２２）から離れて着用者に向かって逆流する尿から陰茎を保護する。
2005538803.tif 000002
【特許請求の範囲】
【請求項１】
男性失禁防止装置用の多部品液体移動容器であって、該容器は、
（ａ）着用者の陰茎を受領するための第１開口端部と液体排出ポートを提供する第２端部とを有する外形部を含んでおり、前記第２端部は前記第１端部から陰茎の頭部を十分に覆う長さ分延びており、尿は陰茎から前方へ前記排出ポートを通って前記容器から外側方向へ移動され、
（ｂ）前記第１端部内に受領され、前記外形部の内表面から離れて提供された長形舌部を含んだ取り外し可能な液体制御インサートをさらに含んでおり、前記舌部は陰茎と前記外形部との間に逆流バリヤを形成し、前記排出ポートから離れて着用者に向かって逆流する尿から陰茎を保護することを特徴とする多部品液体移動容器。
【請求項２】
液体制御インサートの舌部は尿を通過させるための排水穴を含んでいることを特徴とする請求項１記載の多部品液体移動容器。
【請求項３】
舌部と外形部の内表面との間に位置する複数のスペーサを含んでいることを特徴とする請求項１記載の多部品液体移動容器。
【請求項４】
液体制御インサートは、舌部と一体的に形成されて外形部の第１開口端部の環状縁部を覆うように係合する取付リングをさらに含んでいることを特徴とする請求項１記載の多部品液体移動容器。
【請求項５】
取付リングは、外形部の第１開口端部に形成された補形状環状肩部とスナップフィットする外側に曲がった形状の環状唇部を含んでいることを特徴とする請求項４記載の多部品液体移動容器。
【請求項６】
液体制御インサートの舌部は取付リングと一体的に形成される略筒状の基部を含んでおり、該基部は外形部の内表面から離れて提供され、排出ポートから離れて着用者に向かって逆流する尿を受領することを特徴とする請求項１記載の多部品液体移動容器。
【請求項７】
外形部は弓形や人間工学的にデザインされた形状記憶材で形成されることを特徴とする請求項１記載の多部品液体移動容器。
【請求項８】
液体制御インサートは抗菌プラスチックで形成されることを特徴とする請求項１記載の多部品液体移動容器。
【請求項９】
外形部の第２端部は縮小首部を含んでいることを特徴とする請求項１記載の多部品液体移動容器。
【請求項１０】
首部は外側溝螺子部を含んでおり、尿収集バッグの補形状内側溝螺子キャップと螺合することを特徴とする請求項９記載の多部品液体移動容器。
【請求項１１】
首部は外形部の排出ポートにおける尿溜まりを減少させるため、想像上の中心線からオフセット状態で提供されることを特徴とする請求項９記載の多部品液体移動容器。
【請求項１２】
外形部の排出ポートに位置される片方向バルブを含んでおり、該片方向バルブは容器から外側方向への一方向の尿の流れを提供することを特徴とする請求項１記載の多部品液体移動容器。
【請求項１３】
男性失禁防止用装置の多部品液体移動容器であって、該容器は、
（ａ）着用者の陰茎を受領する第１開口端部と排出ポートを提供する第２端部とを有する外形部を含んでおり、該第２端部は該第１端部から陰茎の頭部を十分覆う距離分延びており、尿は陰茎から前方へ、前記排出ポートを通って前記容器から外側方向へ移動され、
（ｂ）前記第１開口端部内に受領される液体制御インサートをさらに含んでおり、該液体制御インサートは前記外形部の内表面から離れて提供され、尿を通過させるための複数の排水穴を提供する長形舌部を含んでおり、該舌部は陰茎と前記外形部との間に逆流バリヤを形成し、前記排出ポートから離れて着用者に向かって逆流する尿から陰茎を保護することを特徴とする多部品液体移動容器。
【請求項１４】
舌部と外形部の内表面との間に複数のスペーサを含んでいることを特徴とする請求項１３記載の多部品液体移動容器。
【請求項１５】
液体制御インサートは、舌部と一体的に形成され外形部の第１開口端部の環状縁部を覆うように係合する取付リングをさらに含んでいることを特徴とする請求項１３記載の多部品液体移動容器。
【請求項１６】
取付リングは外側に曲がった環状唇部を含んでおり、外形部の第１開口端部に形成される補形状環状肩部とスナップフィットすることを特徴とする請求項１５記載の多部品液体移動容器。
【請求項１７】
液体制御インサートの舌部は取付リングと一体的に形成される略筒状の基部を含んでおり、外形部の内表面から離れて提供され、排出ポートから離れて着用者に向かって逆流する尿を受領することを特徴とする請求項１６記載の多部品液体移動容器。
【請求項１８】
外形部は、弓形や人間工学的にデザインされた形状記憶材で形成されることを特徴とする請求項１３記載の多部品液体移動容器。
【請求項１９】
液体制御インサートは抗菌プラスチックで形成されることを特徴とする請求項１３記載の多部品液体移動容器。
【請求項２０】
外形部の第２端部は縮小首部を含んでいることを特徴とする請求項１３記載の多部品液体移動容器。
【請求項２１】
首部は外側溝螺子部を含んでおり、尿収集バッグの補形状内側溝螺子キャップと螺合することを特徴とする請求項２０記載の多部品液体移動容器。
【請求項２２】
首部は、外形部の排出ポートにおける尿溜まりを減少させるために想像上の中心線からオフセット状態で提供されることを特徴とする請求項２０記載の多部品液体移動容器。
【請求項２３】
外形部の排出ポートに位置される片方向バルブを含んでおり、該片方向バルブは容器から外側方向への片方向の尿の流れを提供することを特徴とする請求項１３記載の多部品液体移動容器。
【請求項２４】
多部品液体移動容器を含む男性失禁防止用装置であって、該容器は、
（ａ）形状記憶材で形成された外形部を含んでおり、該外形部は着用者の陰茎を受領するための第１開口端部と排出ポートを提供する第２端部とを有しており、該第２端部は前記第１端部から陰茎の頭部を十分覆う距離分延びており、尿は陰茎から前方へ、前記排出ポートを通って前記容器の外側方向へ移動され、
（ｂ）前記第１開口端部内に受領され前記外形部の内表面から離れて提供された長形舌部を含む取り外し可能な液体制御インサートをさらに含んでおり、前記舌部は陰茎と前記外形部との間に逆流防止バリヤを形成し、前記排出ポートから離れて着用者に向かって逆流する尿から陰茎を保護する多部品液体移動器を含む男性失禁防止用装置。
【請求項２５】
排出ポートを通って外側方向へ流れる尿を受領並びに収集するため、外形部の第２端部に固定される収集バッグを含んでいることを特徴とする請求項２４記載の男性失禁防止用装置。
【請求項２６】
多部品液体移動容器を含む男性失禁防止用装置であって、前記容器は、
（ａ）形状記憶材で形成された外形部を含んでおり、該外形部は着用者の陰茎を受領する第１開口端部と排出ポートを提供する第２端部とを有しており、該第２端部は第１端部から陰茎の頭部を十分覆う距離分延びており、尿は陰茎から前方に、前記排出ポートを通って外側方向に移動され、
（ｂ）前記第１開口端部内に液体制御インサートをさらに含んでおり、該液体制御インサートは前記外形部の内表面から離れて提供され尿を通過させる複数の排水穴を提供する長形舌部を含んでおり、該舌部は陰茎と前記外形部との間に逆流防止バリヤを形成し、排出ポートから離れて着用者に向かって逆流する尿から陰茎を保護する多部品液体移動容器を含む男性失禁防止用装置。
【請求項２７】
排出ポートを通って外側方向へ流れる尿を受領並びに収集するため、外形部の第２端部に固定される収集バッグを含んでいることを特徴とする請求項２６記載の男性失禁防止用装置。
【発明の詳細な説明】
【技術分野】
【０００１】
本発明は一般的に男性失禁防止に関し、特に男性失禁防止装置用の容器に関する。
【背景技術】
【０００２】
本発明に係る容器は、接着剤、テープ、糊等の皮膚を刺激したり傷つける取付要素を必要とせずに確実並びに快適に使用者に装着される。本発明は衣服下で比較的目立たず、市販の男性失禁防止装置やカテーテルではしばしば犠牲にされている自由な動きを提供する。着用者は自信を持って、意識することなく本発明に係る装置を着用することができる。
【０００３】
失禁は、特に６５歳以上の成人の間で増加しつつある問題である。アメリカではおよそ４００万人の男性が様々な程度の失禁に悩まされている。この症状の一般的な原因には前立腺肥大、前立腺ガン、骨盤外傷、脊髄損傷及び薬物治療副作用がある。失禁関連の治療には年間１６０億米国ドル以上が費やされている。
【０００４】
本発明は、男性失禁防止用装置やカテーテルの先行技術の改良に関連する。特に、本発明は効果的で、取り扱いが簡単な「快適な装着感」のある着用装置であって、意識することなく衣服の内側に気づかれないように装着することができる。本発明は、前立腺外科手術又は放射線治療後の膀胱トレーニングにおいて、患者から排出された尿の量をモニターするためにも利用できる。男性失禁症の治療方法とは別に、本発明は、現在市販並びに利用されている失禁防止用装置と比較して皮膚への刺激や問題が少なく、生活の質の向上を目的としている。
【発明の開示】
【発明が解決しようとする課題】
【０００５】
本発明の目的は、効果的で快適に着用できる男性失禁防止用装置の容器を提供することである。
【０００６】
本発明の別の目的は、皮膚を刺激することがなく、陰茎に直接取り付けられる接着剤、テープ、糊その他の取付要素を必要としない男性失禁防止用装置の容器を提供することである。
【０００７】
本発明のさらに別の目的は、手入れが簡単で清潔な男性失禁防止用装置の容器を提供することである。
【０００８】
本発明のさらに別の目的は、快適性の向上のための人間工学デザインを有した男性失禁防止用装置の容器を提供することである。
【０００９】
本発明のさらに別の目的は、衣服の下に簡単に隠すことができる男性失禁防止用装置の容器を提供することである。
【００１０】
本発明のさらに別の目的は、１つのサイズで多数のユーザにフィットするデザインの男性失禁防止用装置の容器を提供することである。
【００１１】
本発明のさらに別の目的は、取付け取外しが比較的簡単な男性失禁防止用装置の容器を提供することである。
【００１２】
本発明のさらに別の目的は、活動的な成人のために特にデザインされた男性失禁防止用装置の容器を提供することである。
【００１３】
本発明のさらに別の目的は、必要であれば、洗浄や部品交換のために簡単に分解することができる男性失禁防止用装置の容器を提供することである。
【００１４】
本発明のさらに別の目的は、泌尿器管感染の発生を減少させる男性失禁防止用装置の容器を提供することである。
【００１５】
本発明のさらに別の目的は、容器と陰茎の間の空気循環を可能にする男性失禁防止用装置の容器を提供することである。
【課題を解決するための手段】
【００１６】
これら及びその他の本発明の目的は、男性失禁防止用装置の多部品液体移動容器の提供により、以下で説明する好適実施例において達成される。容器は使用者の陰茎を収容するための第１開口端部及び液体排出ポートを提供する第２端部とを有する外形部を含んでいる。第２端部は第１端部から陰茎の頭部を十分に覆う距離分延びており、尿は陰茎より前方に移動され、排出ポートを通って容器の外に移動される。取り外し可能な液体制御インサートは第１開口端部内に受領され、外形部の内側表面から間隔を開けて提供される長形舌部を含んでいる。舌部は陰茎と外形部との間に逆流防止バリヤを形成し、排出ポートから離れて着用者に向かって逆流する尿から陰茎を保護する。
【００１７】
好適には、外形部は陰茎の全長を覆う。
【００１８】
「多部品」とは、別々に形成されてその後に組み立てられるもの、又は単体ユニットとして一体的に形成されるものを指す。
【００１９】
液体移動インサートは好適には別個の部品として取り外すことができるものである。別の実施例では、液体移動インサートは外形部と一体的に形成される。
【００２０】
本発明のさらに別の実施例では、液体制御インサートの舌部は尿を通過させる通路を提供する排水穴を含んでいる。
【００２１】
本発明のさらに別の実施例では、舌部と外形部の内表面との間には複数のスペーサが配置されている。
【００２２】
本発明のさらに別の実施例では、液体制御インサートは、舌部と一体的に形成され、外形部の第１開口端部の環状縁部を覆うように係合する取付リングをさらに含んでいる。
【００２３】
本発明のさらに別の実施例では、取付リングは外側に曲がった形状の環状唇部を含んでおり、外形部の第１開口端部で形成される補形状環状肩部とスナップフィットする。
【００２４】
本発明のさらに別の実施例では、液体制御インサートの舌部は取付リングと一体的に形成された略筒状基部を有しており、外形部の内表面から離れて提供されており、排出ポートから離れて着用者に向かって逆流する尿を受領する。
【００２５】
「略筒状」とは、筒形状あるいは楕円形や長円形の断面を有する広範囲の形状を指す。
【００２６】
本発明のさらに別の実施例では、外形部は、弓形や人間工学的にデザインされた形状記憶材で形成される。
【００２７】
本発明のさらに別の実施例では、液体制御インサートは抗菌性プラスチックで形成される。
【００２８】
本発明のさらに別の実施例では、外形部の第２端部は縮小された首部を有している。
【００２９】
本発明のさらに別の実施例では、首部は尿収集バッグの補形状内側溝螺子キャップと螺合する外側溝螺子を含んでいる。あるいは、別個の内側溝キャップを、長形排水チューブ、又は容器に接着剤で取り付けられる使い捨て収集バッグのどちらかとの組み合わせで使用することもできる。
【００３０】
本発明のさらに別の実施例では、首部は想像上の中心線からオフセット状態で提供されており、外形部の排出ポートの尿溜まりを減少させる。
【００３１】
本発明のさらに別の実施例では、外形部の排出ポートには片方向バルブが提供され、容器から外側への尿の流れを提供する。片方向バルブは、収集バッグの内側に提供するか又は内側溝キャップ内に埋め込み状態で提供することができる。
【００３２】
さらに別の実施例では、容器は着用者の陰茎を受領する第１開口端部と液体排出ポートを提供する第２端部とを有する外形部とを含んでいる。第２端部は第１端部から陰茎の頭部を覆うために十分な距離分延びており、尿は陰茎から前方へ移動され、排出ポートを通過して容器から外方向へ移動される。液体制御インサートは第１端部内に受領される。インサートは外形部の内表面から離れて提供される長形舌部を含んでおり、尿を通過させるための複数の排水穴を提供する。舌部は陰茎と外形部との間に逆流バリヤを形成し、排出ポートから離れて着用者に向かって逆流する尿から陰茎を保護する。
【００３３】
さらに別の実施例では、本発明は多部品液体移動容器を含む男性失禁防止用装置である。
【００３４】
好適には、この失禁防止用装置は外形部の第２端部に固定され、排出ポートを通って外方向へ流れる尿を受領並びに収集する収集バッグをさらに含んでいる。
【発明を実施するための最良の形態】
【００３５】
本発明による男性失禁防止用装置のための多部品液体移動容器が図１に番号１０で示されている。この多部品容器１０は特に支持下着１１及び収集バッグ１２を含む失禁防止管理システムにおいて利用できるようになっている。容器１０は人間工学的デザインの形状記憶外形部１４と取り外しできる液体制御インサート１５とから成る。外形部１４とインサート１５は好適には軽量で柔軟性のある柔らかい抗菌性のプラスチックで形成される。
【００３６】
外形部１４は着用者の陰茎を受領するように比較的大きい径の開口端部１６と、長形の縮小首部１７を提供する反対側の端部とを有している。図１、２及び３に示されるように、首部１７は容器スリット１９を通って下着１１のクロッチパネル１８を通り抜けるようにデザインされている。首部１７の端部壁２１は液体排出ポート２２を提供し、これを通って尿は容器１０から外側方向へ収集バッグ１２へと移動する。次に説明するように、収集バッグ１２は首部１７へ取り付けるようになっており、下着１１と共に形成されたレッグポケット２４内に緩く収納される。収集バッグ１２はフックパッチ２５Aやループファスナー２５Ｂを使用して取り外しできるようにポケット内に保たれる。収集バッグ１２が満タンの時には、尿は排水バルブ１２Ａを通って排出される。
【００３７】
図４と図５で示すように、外形部１４の首部１７は外側螺子部２６とロック窪部２７とを有している。外側螺子部２６と窪部２７は収集バッグ１２のキャップ３１と共に形成された螺子部２８とディンプル２９（図５）と係合する。窪部２７とディンプル２９との整合は、容器１０とバッグ１２との適切な封印された内部ロック接合を示す。
【００３８】
ディスク形状の片方向フラップバルブ３２は外形部１４の排出ポート２２と収集バッグ１２との間に位置され、容器１０からバッグ１２への尿の流れを制御する。フラップバルブ３２は首部１７に隣接しており、外形部１４の端部壁２１内に形成され、排出ポート２２と隣接している小開口部３４内で係合する弾性取付ポスト３３を含んでいる。ポスト３３は、バルブ３２を端部壁２１に対して通常は閉鎖状態に保つためのヒンジを提供し、排出ポート２２を覆って収集バッグ１２から容器１０への尿の逆流を防ぐ。容器１０内で僅かに液圧が生じると、フラップバルブ３２は外側へ開いた状態となって尿を容器から外側方向に収集バッグ１２内へと移動させる。好適には、排出ポート２２は、フラップバルブ３２の片方向操作と封印機能を向上させるように、様々な工夫や設計がされた間隔を開けた開口部と形状とを有している。
【００３９】
図１，６及び７で示すように、液体制御インサート１５は容器１０内の着用者の陰茎を保持し、外形部１４の開口端部１６内に取り外せるように受領されている。液体制御インサート１５は穴が提供された舌部３５、筒状基部３６及び丸形取付リング３７を含んでいる。図７で示すように、取付リング３７は外側へ曲がった環状唇部３８を有しており、外形部１４の開口端部１６と共に形成された環状肩部３９と係合する。外形部１４とインサート１５との係合によって、容器１０の洗浄及び／又は取り替えのための組み立て並びに分解が容易になる。筒状基部３６は取付リング３７と一体的に形成されており、外形部１４の内表面から僅かに離れて提供される。穴が提供された舌部３５は筒状基部３６と一体的に形成されており、外形部１４の輪郭に隣接して内部方向に延びている。穴は容器１０内の換気を提供し、舌部３５内に排水穴４１を形成して陰茎から尿の通路を遠ざける。舌部３５と基部３６とを合わせた長さは外形部１４の長さの５０％より長いことが望ましい。柱部４２は舌部３５の下面と共に形成されており、外形部１４の内表面と係合して舌部３５と外形部１４との間に逆流通路を提供する。
【００４０】
通常の立っている状態では、容器１０は一般的に図８に示すように下着の内側に位置される。この位置では、尿は陰茎“Ｐ”から舌部３５の排水穴４１を通って下方に流れ、容器１０の外形部１４の排出ポート２２を通過して取り付けられた収集バッグ（図示なし）へと流れる。あるいは、ベッドや車いすの患者には、長形の排水チューブを外形部１４の首部１７に固定しても良い。容器１０内の尿溜まりを防止又は制限するために、図７の如く、外形部１４の首部１７は軸４５に沿って容器１０の想像上の中心軸４６からオフセット状態で提供される。着席又は仰向け状態の時には、容器１０は通常さらに水平状態に位置される。この位置では、図９の如く、ある程度の量の尿“Ｕ”は舌部３５の排水穴４１を通って着用者に向かって逆流する。舌部３５は陰茎“Ｐ”と外形部１４との間に逆流防止バリヤを提供する。この場合、尿“Ｕ”は陰茎“Ｐ”から遠ざけられて堅壁筒状基部３６と外形部１４との間に受領される。筒状基部３６は外形部１４の開口端部１６の内部縁周りを３６０度延回し、舌部３５の上昇壁、一体的形成された取付リング３７及び複数の排水開口部４１と協力して、容器１０からの逆流尿漏れを完全に防止する。
【００４１】
容器１０への接近と容器１０外における通常の排尿を容易にするために、下着１１は水平ファスナー部４７を含んでいることが望ましく、これは図１に示すスナップファスナー４８を使って開閉される。追加的に、容器１０は内部弾性ストラップ４９によって下着１１内にさらに保持されることもできる。
【００４２】
男性失禁防止用の多部品液体移動容器について説明した。本発明の詳細はその範囲から離れることなく変更可能である。さらに、既述の好適実施例の説明は図の説明の目的のみのために提供されたものであり、本発明の範囲を限定するものではない。
【図面の簡単な説明】
【００４３】
本発明の目的のいくつかは既に説明された。本発明のその他の目的及び利点は次の図面に関連して以下の説明と共に明らかになるであろう。
【図１】図１は装置の要素を分解して示した失禁防止システムの斜視図である。
【図２】図２は尿収集バッグへの取り付けのために露出された液体移動容器の首部を示す下着の部分図である。
【図３】図３は容器の位置を図示する下着の部分断面図である。
【図４】図４は分解された片方向フラップバルブを示す容器の斜視図である。
【図５】図５は部品のシール状態である螺合接合を図示するために分解された容器と収集バッグの部分的拡大斜視図である。
【図６】図６は液体制御インサートの斜視図である。
【図７】図７は外形部とインサートの組み立て状態を示す容器の断面図である。
【図８】図８は舌部の排水穴を通って外形部の排出ポートへ向かって下降する尿の通路を示す容器の断面図である。
【図９】図９は排水穴を通って着用者に向かって逆流する尿の通路を示す容器の断面図である。
【図１】
2005538803.tif 000003
【図２】
2005538803.tif 000004
【図３】
2005538803.tif 000005
【図４】
2005538803.tif 000006
【図５】
2005538803.tif 000007
【図６】
2005538803.tif 000008
【図７】
2005538803.tif 000009
【図８】
2005538803.tif 000010
【図９】
2005538803.tif 000011
【国際調査報告】
2005538803.tif 000012
2005538803.tif 000013